(57)【要約】【課題】本発明は、引き戸の開放された状態の引き戸扉を自動で閉鎖する非常時閉鎖装置において、安定した作動が可能な引き戸の非常時閉鎖装置を提供することを課題とする。【解決手段】  非常信号等に連動して作動するぜんまいバネ装置と、ワイヤーとスライダーと、ガイド枠を有した、引き戸の非常時閉鎖装置において、ガイド枠に、スライダーのマグネットの磁力が直接的に作用せずにスライダーが滑動するガイド部と、スライダーの保持状態にマグネットの磁力が直接的に作用する保持部を設ける。【選択図】図１１
2018013003.tif 000002
【特許請求の範囲】
【請求項１】
非常信号等に連動して作動するぜんまいバネ装置と、ぜんまいバネ装置と連結し、ぜんまいバネによって巻き取られるワイヤーと、ぜんまいバネ装置の反対側で該ワイヤーと連結するマグネットが組み込まれるスライダーと、スライダーが滑動するガイド枠を有した、開放状態の扉を閉止させる非常時閉鎖装置において、ガイド枠は、スライダーのマグネットの磁力が直接的に作用せずにスライダーが滑動するガイド部と、スライダーの保持状態にはマグネットの磁力が直接的に作用する保持部を備えたことを特徴とする非常時閉鎖装置。
【請求項２】
スライダーの磁石の吸着面に対向するとともに、スライダーの滑動軌道面に対応して吸着部が設けられ、吸着面と吸着部の間は、ガイド枠のスライダーのマグネットの吸着面側に備えられた、マグネットの磁力が直接的に作用しない大きさとされた滑動部によって、一定の間隔が空けられることを特徴とする請求項１に記載の非常時閉鎖装置。
【発明の詳細な説明】
【技術分野】
【０００１】
本発明は、火災等の非常時に、煙感知器等に連動して強制的に扉を閉鎖すると共に、その後、扉の開放は手動で行い、開放された扉は自閉する非常時閉鎖装置に関するものである。
【背景技術】
【０００２】
従来、引き戸は、通常、人の出入りを終えると、電気式や自重方式やぜんまい方式などで扉が自動的に閉鎖するように自閉手段が設けられている。
しかしながら、病院あるいは老人ホーム等で使用される場合は、建物内の各部屋の様子に極力目が行き届くように、開放状態（全開、半開等を含む。）を維持しておく必要があった。 このため、扉が開放された状態で、一時的に開放することが可能な機能が設けられている。
【０００３】
一方、開放された状態で、火災等が発生すると、有毒ガスや煙等の浸入、あるいは延焼を防止するため開放された状態の扉を一斉に自動で閉鎖する必要があった。
【０００４】
しかしながら、電気式に自動で閉鎖する引き戸の場合、電気を切ることにより自動閉鎖機能を止め、引き戸扉を開放状態としているため、開放された状態の引き戸扉を自動で閉鎖することができない。
また、前記のように、極力目が行き届くように、開放状態を維持しておく必要あることから、あらかじめ扉の自閉手段を用いずに手動で閉止させる引き戸が用いられることもある。この場合においても、開放された状態の扉を自動で閉鎖することができない。
【０００５】
そこで、開放された状態の引き戸扉を自動で閉鎖させる装置として、非常信号に連動して作動するぜんまいバネ装置と、ぜんまいバネ装置と連結し、ぜんまいバネによって巻き取られるワイヤーと、ぜんまいバネ装置と反対側でワイヤーと連結するスライダーとの組み合わせにより、強制的に開放状態の引き戸扉を引き込む非常時閉鎖装置が提供されている。（例えば、特許文献１参照。）
【０００６】
このような装置の場合、スライダーを引き戸扉の開放した状態の位置に一時的に固定し、非常信号に連動してぜんまいバネ装置が作動しワイヤーが巻き取られ、ワイヤーによって、スライダーが戸先側に移動し、この時スライダーによって、引き戸扉を閉止側に引っ張り、引き戸扉を閉止させる。この時、スライダーは、引き戸扉の開閉方向に延伸するガイド枠上を滑りながら移動するが、スライダーはマグネットの吸着力によって、引き戸扉の開放した状態の位置に一時的に固定され、そしてガイド枠から脱落しないようにされている。
【０００７】
そして、ガイド枠上でスライダーは、マグネットによってガイド枠に吸着した状態で滑りながら移動するので、スライダー滑動抵抗が高くなりスライダーの移動が妨げられ、引き戸扉が閉止しないといった問題がある。
【先行技術文献】
【特許文献】
【０００８】
【特許文献１】特許第４３７６７４４号公報
【発明の概要】
【発明が解決しようとする課題】
【０００９】
本発明は、従来の問題点に鑑みて、引き戸の開放された状態の引き戸扉を自動で閉鎖する非常時閉鎖装置において、安定した作動が可能な非常時閉鎖装置を提供することを課題とする。
【課題を解決するための手段】
【００１０】
上記課題を解決する為、本発明が第１の手段として構成したところは、非常信号等に連動して作動するぜんまいバネ装置と、ぜんまいバネ装置と連結し、ぜんまいバネによって巻き取られるワイヤーと、ぜんまいバネ装置の反対側で該ワイヤーと連結するマグネットが組み込まれるスライダーと、スライダーが滑動するガイド枠を有した、開放状態の扉を閉止させる非常時閉鎖装置において、ガイド枠は、スライダーのマグネットの磁力が直接的に作用せずにスライダーが滑動するガイド部と、スライダーの保持状態にはマグネットの磁力が直接的に作用する保持部を備えるものである。
【００１１】
上記課題を解決する為、本発明が第２の手段として構成したところは、第１の手段に加え、スライダーの磁石の吸着面に対向するとともに、スライダーの滑動軌道面に対応して吸着部が設けられ、吸着面と吸着部の間は、ガイド枠のスライダーのマグネットの吸着面側に備えられた、マグネットの磁力が直接的に作用しない大きさとされた滑動部によって、一定の間隔が空けられるものである。
【発明の効果】
【００１２】
請求項１に記載の発明によると、スライダーの保持時には、マグネットの磁力が滑動面に直接作用するのでスライダーの保持力が増し、保持状態を安定して維持することが可能である。そして、スライダーがガイド枠を滑りながら移動する滑動時には、スライダーに設置されたマグネットの磁力が滑動面に直接作用しないので、スライダーの抵抗が保持状態より磁力分減り、スライダーがスムーズに移動することが可能である。
【００１３】
請求項２に記載の発明によると、滑動部によって吸着面との間に一定の間隔が空けられるので、磁石と吸着部間にエアギャップができ、磁力が弱まりスライダーの滑動を阻害しないようにできる。また、該エアギャップできた状態で、かつ、吸着部にスライダーの磁石が吸着しようとする力が作用することにより、スライダーが磁石側面に引っ張られ、スライダーの磁石側面以外の面のスライダーの摺動面積が減少し、スライダーの滑動抵抗が減少するためスライダーの滑動を阻害しないようにできる。
【図面の簡単な説明】
【００１４】
【図１】本発明を具備した自動引き戸の点検パネルを外した状態の概略正面図
【図２】図１のＡ−Ａ線要部拡大断面図
【図３】図１のＢ−Ｂ線要部拡大断面図
【図４】図１のＣ−Ｃ線要部拡大断面図
【図５】図３のＤ部拡大図
【図６】非常時閉鎖装置の正面図
【図７】非常時閉鎖装置の平面図
【図８】非常時の非常時閉鎖装置の作動状態を示す正面図
【図９】非常時の非常時閉鎖装置のリセット部材を示す略正面図
【図１０】リセット時の非常時閉鎖装置のリセット部材を示す略正面図
【図１１】スライダーの保持時と滑動時を示す要部断面図
【図１２】ガイド材の斜視図
【図１３】吸着部を有する他の実施例を示す要部断面図
【図１４】吸着部を有しない実施例を示す要部断面図
【発明を実施するための形態】
【００１５】
非常信号等に連動して作動するぜんまいバネ装置と、ぜんまいバネ装置と連結し、ぜんまいバネによって巻き取られるワイヤーと、ぜんまいバネ装置の反対側で該ワイヤーと連結するマグネットが組み込まれるスライダーと、スライダーが滑動するガイド枠を有した、開放状態の引き戸扉を閉止させる引き戸の非常時閉鎖装置において、スライダーの磁石の吸着面に対向するとともに、スライダーの滑動軌道面に対応する吸着部を設け、ガイド枠にスライダーのマグネットの磁力が直接的に作用せずにスライダーが滑動するガイド部と、スライダーの保持状態時にはマグネットの磁力が直接的に作用する保持部を設け、ガイド部のスライダーのマグネットの吸着面側にマグネットの磁力が直接的に作用しない大きさの滑動部を設け、滑動部で吸着面と吸着部の間に一定の間隔を空ける。
【実施例】
【００１６】
以下実施例１を図面に基づいて説明する。
図１は、本発明を具備した自動式の引き戸ユニットの正面概略図を示し、符号１は引き戸枠を示している。
引き戸枠１は、図４に示す如く、建物側の鉄骨１１・・・にブラケット１２・・・を介して固定された戸尻側縦枠１３および戸先側縦枠１４と、戸尻側縦枠１３と戸先側縦枠１４との上端間に配設され、図２に示す如く建物側鉄骨１１にブラケット１２を介して固定された上横枠１５より門形に形成されている。
【００１７】
符号２は、支持部材を示している。
支持部材２は、戸尻側縦枠１３の上部と戸先側縦枠１４の上部間に水平に配設され、室内側に引き戸レール５が連結され、上面に非常時閉鎖装置２００のぜんまいバネ装置３００が取り付けられる。
符号６は、吊り金具７０を介して引き戸レール５に吊り下げられた引き戸を示し、符号８は、引き戸扉６と支持部材２間に配設されたリニアモーターを示し、符号１６、１６は、戸尻側縦枠１３と戸先側縦枠１４間で、上端が上横枠１５の室内側と廊下側の両面に固定され、下端部が床面に埋め込まれて配設された中枠を示している。
以下、戸尻側縦枠１３と中枠１６、１６間側を引き込み部側、戸先側縦枠１４と中枠１６、１６間側を出入り口側と云う。
【００１８】
そして、引き込み部側には床面全幅に渡って上向きコ字形のベース材が設けられ、ベース材の出入口側端部に近接する出入口側の床面にガイド部材１７が固定されている。
ガイド部材１７は、引き戸扉６の下端面に形成された案内溝６１に嵌合するガイドローラー１７１を有している。
符号１８、１８は、引き込み部側の室内側及び廊下側の両面に配設された下地パネルを示し、符号１９は、支持部材２の廊下側の表面に取り付けられるランマ下地パネルを示し、符号９６０は支持部材２の室内側の出入り口側に着脱自在に取り付けられた点検パネルを示している。
【００１９】
そして、上記引き戸枠１、引き戸レール５を取付けた支持部材２、リニアモーター８の一部、中枠１６、１６、ベース材、ガイド部材１７、下地パネル１８、ランマ下地パネル１９が、内装仕上げが行われるまで（化粧ボード１００・・が貼り付けられるまで）に施工される。
そして、内装仕上げが終了した後、引き戸扉６が出入り口側から支持部材２に取り付けられた引き戸レール５に吊り込まれ、リニアモーター８が配設され、非常時閉鎖装置３００が支持部材２に取り付けられ、所定の電気的接続を済ませ、最後に点検パネル９６０が取り付けられる。
【００２０】
支持部材２は、図２、図３、図５に示す如く、固定部材２１と、固定部材２１の室内側に一体に形成されたレール取付部２２よりなり、戸尻側縦枠１３、戸先側縦枠１４の上端部内面に設けられた支持部材固定座（図示せず。）に、戸尻側縦枠１３側の端部と戸先側縦枠１４側の端部が固定用ボルト（図示せず）で水平状態に連結され、レール取付部２２の室内側に引き戸レール５が取り付けられている。
【００２１】
引き戸レール５は、図５に示す如く、スライド装置５１と、アルミ材からなる押出補強材５０と、補強材５２が連結して構成され、その開閉方向の長さは、引き戸扉６の移動距離よりやや長めに形成され、支持部材２の室内側に、ネジ止め等にて取り付けられる。
スライド装置５１は、アウターメンバー５５に、インナーメンバー５６がボール、ボール保持部材にて取り付けられて、インナーメンバー５５が摺動移動するものである。
【００２２】
符号７０はインナーメンバー５６の室内側に固着された吊り金具を示している。
吊り金具７０は、図１、図２に示すように、インナーメンバー５６と開閉方向にほぼ同幅で、インナーメンバー５６の室内側に固着される取付壁７０１と、取付壁７０１の下端部をスライド装置５１の下方でランマ下地パネル１９方向にＵ字形に形成した吊り下げ部７０３より構成されている。
符号７００は、吊り金具７０の戸先側端部に取り付けられ、上方に突出し、非常時閉鎖装置２００と連係する係合部材を示している。
【００２３】
リニアモーター８は、コイル可動形のリニアモーターであって、引き戸扉６を自動的に開閉させるものであり、レール取付部２２の点検パネル９６０側に取り付けられている固定子８１と、固定子８１に対応して、可動子取付金具８０３を介して、引き戸扉６の上部に取り付けられ、固定子８１に対して一定の間隔を空け、固定子８１と非接触とされる可動子８２と、支持部材２の上方に固定されているコントローラー９０とよりなる。
【００２４】
リニアモーター８は、固定子８１に設けられた複数個の電磁石を、コントローラー９０の制御によって切り替え、複数個の永久磁石を有した可動子８２を磁力により誘導し引き戸扉６を開閉させる非接触型のエンジンユニットである。
【００２５】
このようなリニアモーターによるエンジンユニットは、停電やスイッチを切った場合などの電気が供給されなくなると、電磁石が働かない。そして、この時、固定子８１と可動子８２は非接触で、電磁石による磁力も発生していないから、引き戸扉６は手動で開閉させることが可能である。
【００２６】
非常時閉鎖装置２００は、非常信号等に連動して作動するぜんまいバネ装置３００と、ぜんまいバネ装置３００と連結し、ぜんまいバネによって巻き取られるワイヤー３０と、ぜんまいバネ装置３００の反対側で該ワイヤー３０と連結するマグネットが組み込まれるスライダー３４と、スライダー３４が滑動するガイド枠３７より構成される。
【００２７】
そして、ぜんまいバネ装置３００は、支持部材２の戸先側縦枠１３寄りの上面のユニット取付基板に着脱自在に取り付けられており、ユニット基板３１に取り付けられた自閉機構３と自閉機構を制御する制御機構９より構成されている。
自閉機構３は、ワイヤー３０を常に巻き取るよう付勢するゼンマイバネ（図示せず。）と、ワイヤー３０の巻き取り、引き出しと共に回転し、一部が外方に露出する自閉用歯車３２等を内蔵した巻き取り部材３３と、ワイヤー３０の端部に連結されるスライダー３４の移動方向と同じ方向にワイヤー３０を導く上下滑車３５、３６より構成されている。
【００２８】
そして、ユニット基板３１は、水平基板３１１と垂直基板３１２より断面Ｌ字形に形成され、自閉機構３、制御機構９等が取付けられた状態で、支持部材２の上面に取り付けられたユニット取付基板３１３に、ネジ止め等にて着脱自在に取り付けられる。
巻き取り部材３３は、垂直基板３１２と所定の間隔を有して水平基板３１１の所定位置にネジ止めされ、上下滑車３５、３６は、垂直基板３１２の戸先側端部に取り付けられる滑車取付座３５０の戸先側端部の上下端部に回転自在に設けられており、上滑車３５は巻き取り部材３３のワイヤー３０の取り出し口（図示せず。）と前後方向でほぼ同位置に設けられ、下滑車３６は、上滑車３５より垂直基板３１２側よりで案内枠３３の延長上に位置して取り付けられている。
【００２９】
制御機構９は、ユニット基板３１の水平基板３１１に下面がネジ止めされるＬ字形の回転規制歯車取付座９１１に一方向にのみ回転可能（図６では、反時計回りの方向にのみ回転可能）に取り付けられる回転規制歯車９１と、自閉用歯車３２と噛合いながら回転規制歯車９１と、噛合いあるいは離脱可能な自閉制御歯車９２と、自閉制御歯車９２と回転規制歯車９１の噛合い、あるいは離脱を促す作動板９３と、作動板９３の自閉制御歯車９２の反対側の端部に位置し、作動板９３の動きを制御する制御部材９４と、煙感知器の信号によって、自閉制御歯車９２を回転規制歯車９１から離脱させる方向に、制御部材９４、作動坂９３を介して作動させるソレノイド９５と、自閉制御歯車９２が回転規制歯車９１に噛合うよう作動板９３を初期状態に復帰させるリセット部材９６より構成されている。
符号９８は煙感知器等のケーブルが接続される端子台を示し、符号９９は端子台とソレノイド９５間に配線されたケーブルを示している。
【００３０】
作動板９３は、巻き取り部材３３と垂直基板３１２間に位置し、回動可能に垂直基板３１２に連結される連結部９３１と、連結部９３１の戸先側端部が巻き取り部材３３と所定間隔を有する位置で、水平基板３１１の突出方向に突出する戸先側作動部９３２と、戸先側作動部９３２の端部で開放方向に突出し、回転規制歯車９１に噛合う自閉制御歯車９２が回転自在に内側に突出した状態に保持された制御歯車取付座９２１がネジ止めされる歯車取付部９３３と、連結部９３１の戸尻側端部が巻き取り部材３３の戸尻側で、水平基板３１１の突出方向に突出する戸尻側作動部９３４と、戸尻側作動部９３４の端部で開放方向に突出する連設部９３５と、連設部９３５の戸尻側端部で垂直基板３１２方向に突出するストッパー部９３６より形成されている。
【００３１】
制御部材９４は、下端部が絶縁用基板９００を貫通する枢軸によって、垂直基板３１２に回動自在に連結される回動連結部９４１と回動連結部の上端で閉鎖方向に突出し、閉鎖側端部が二股状となしたソレノイド連結部９４２より、略逆Ｌ字形に合成樹脂材より一体に形成され、回動連結部９４１の表面側に前記作動板９３のストッパー部９３６に対応して、水平基板３１１の突出方向に突出するストッパー受け部９４３が形成され、ソレノイド連結部９４２の二股状となした個所に、ソレノイド９５のプランジャ９５１の先端に取り付けられたプランジャピン９５２を受けるプランジャ受け用凹部９４５が形成され、回動中心部に巻きバネ９４６が配設され、制御部材９４が図６で常に時計周りの方向に回動するよう付勢されている。
【００３２】
リセット部材９６は、巻き取り部材３３の戸先側と作動板９３の戸先側作動部９３２間に位置し、下端部が垂直基板３１２に回動自在に連結され、上端部にローラー９６１が戸先側作動部９３２の巻き取り部材３３側に位置して回転自在に設けられ、戸先側作動部９３２の逃し用切欠き９６２の戸先側端部に、戸先側作動部９３２の戸先側に位置して上方に突出するストッパー突起９６３が形成されている。
符号９６４は一端がリセット部材９６に連結され、他端が引き戸扉６の移動等の邪魔あるいは出入口に垂れ下がらないよう所定位置に固定されたリセット用ワイヤーを示している。
【００３３】
スライダー３４は、合成樹脂製であって、図５〜７に示すように、断面において、略正方形に形成され、引き戸扉６開閉方向に長い直方体に形成されている。
そして、上面に凹部３４１が設けられ、該凹部３４１にマグネット３４ａがネジにて取り付けられ、スライダー３４の戸先側で、ぜんまいバネ装置３００のワイヤー３０の一端と連結されている。
【００３４】
ガイド枠３７は、鋼製で引き戸扉６の開閉方向に長尺なものであって、図５〜７、１２に示すように、断面において、引き戸ユニットの出入り方向を前後方向とし、点検パネル９６０側を前側として、前後方向に水平に伸びる水平基材３７１と、水平基材３７１の後端で垂直に立設する取付基材３７２と、水平基材３７１の前端で垂直に立設する脱落防止部３７３と、取付基材３７２の上端より前方に水平に伸びる滑動面３７４よりなり、脱落防止基材３７３は、取付基材３７２の１／３程度の高さに設定され、脱落防止部３７３の上端より上部が開口部３７ｂとなる略コ字状に形成される。
【００３５】
ガイド枠３７の水平基材３７１、取付基材３７２、脱落防止基材３７３、滑動面３７４
で結ばれた、ガイド枠３７の断面は、略正方形であって、スライダー３４の正方形を成す断面より若干大きい面積に設定されることにより、スライダー３４が内包可能とされ、該スライダー３４が内包し滑動する部分が、スライダー３４のガイド部３７ａとされる。
【００３６】
滑動面３７４は、水平基材３７１と略同じ前後長さに設定された保持部３７４ａと水平基材３７４の１／３程度の前後長さに設定された滑動部３７４ｂからなり、保持部３７４ａは、ガイド枠３７の戸袋側端から後述する所定の長さ戸先側まで形成され、保持部３７４ａの戸先側端から、ガイド枠３７の戸先側端までが滑動部３７４ｂとして形成される。
【００３７】
開口部３７ｂは、吊り金具７０に取り付けられた係合部材７００の先端の通り道となるものであって、滑動部３７４ｂの前端と脱落防止部３７３の上端の間で形成され、開口部３７ａからは、スライダー３４が抜け出すことがない大きさに設定され、スライダー３４がガイド枠３７から脱落しないようになっている。
【００３８】
このように形成されたガイド枠３７は、ガイド枠３７の戸先側端からガイド部３７ａに、スライダー３４のマグネット面が上面となるようにスライダー３４を滑り入れ、スライダー３４が、ガイド枠３７に内包された状態で、適宜、両面テープ、ねじなどで支持枠２のレール取付部２２の上端内面隅部に接着、あるいは、ネジ止めされる。
【００３９】
この状態で、スライダー３４は、上面のマグネット３４ａの磁力によって、滑動部３７４ｂを挟み、鋼板製の磁性体である上面のレール取付部２２の上面部の下面側に吸着しようとし、スライダー３４には上方に持ち上げられる力が働き、スライダー３４の下面とガイド枠３４の水平基材３７４の接触抵抗が小さくなる。（図１１に示す状態。）
そして、滑動部３７４ｂの前後長さが、スライダー３４のマグネット３４ａの上方側に届かない位置になるように設定（前述の水平基材３７４の１／３程度の前後長さ）されており、マグネット３４ａの上面とレール取付部２２の上面部の下面側に、滑動部３７４ｂの厚み相当のエアギャップが生まれるため、マグネット３４ａの吸着力は弱まる。
そのため、スライダー３４の引き戸の開閉方向への移動時の滑動抵抗を少なくすることが可能である。そして、この状態が、スライダー３４の滑動状態の姿勢となる。
【００４０】
尚、スライダー３４の滑動状態の姿勢で、スライダー３４の前方下端付近が、ガイド枠３７の脱落防止部３７３に接触する程度にガイド枠３７の断面を設定する方が望ましい。
こうすることにより、滑動状態の姿勢でスライダー３４は、マグネット３４ａの磁力で、滑動部３７４ｂとの接触部を基点に上方（図１１における反時計回り）に回転するため、スライダー３４の前方下端付近がガイド枠３７の脱落防止部３７３に接触すると、前記回転ができなくなり、エアギャップを大きく取ることができ、スライダー３４の引き戸の開閉方向への移動時の滑動抵抗をより少なくすることが可能となる。
【００４１】
このように、レール取付部２２の上面部の下面側が、スライダー３４のマグネット３４ａの吸着部２２ａとして機能するとともに、滑動部３７４ｂは、マグネット３４ａの上方側、すなわち、吸着面の上方側には無いので、マグネット３４ａの磁力が直接滑動部３７４ｂに作用することがなくマグネット３４ａの吸着力を弱めることが可能である。
当然ながら、レール取付部２２の上面部の下面側を吸着部２２ａとせず、他の磁性体で吸着部を構成しても良いが、レール取付部２２を利用する方が、部品点数が少なくコストを下げることができる。
また、スライダー３４の滑動中は、マグネット３４ａの吸着力が発揮された方がスライダー３４の滑動抵抗を少なくすることができるから、吸着部２２ａは、少なくともスライダー３４の移動範囲である滑動軌道面全てに対向して設けることが望ましい。
【００４２】
次に、スライダー３４を、引き戸扉６の開放方向（引き込み部側）に移動させると、スライダー３４は、ガイド枠３４内を滑動しながら、鋼製の磁性体である保持部３７４ａに到達する。そして、さらに、引き戸扉６の開放方向（引き込み部側）に移動させると、スライダー３４の引き込み側端の滑動部３７４ｂとの当接部が基点となって、該基点からスライダー３４の斜め前方側が少しずつ保持部３７４ａに乗り上げ姿勢が変化し、スライダー３４のマグネット３４ａの被吸着部が、レール取付部２２の上面部の下面側の吸着部２２ａから保持部３７４ａに変わりスライダー３４が保持状態となる。
したがって、滑動部３７４ｂと保持部３７４ａは連接し、滑動部３７４ｂの前端面と保持部３７４ａの前端面のつながり部は、図１２に示すように出入り口側から引き込み部側に向かって後退するように傾斜させたほうが、スライダー３４の滑動状態から保持状態の姿勢変化がスムーズに行える。
【００４３】
該スライダー３４の保持状態において、保持部３７４ａは、スライダー３４のマグネット３４ａの上面に面しているため、マグネット３４ａ上部のエアギャップは無くなり、マグネット３４ａの磁力が直接滑動部３７４ｂに作用するので、磁力による吸着力が最大に発揮される。
また、この保持位置は、後述する引き戸扉６の全開状態の位置と合わされ、前述の保持部３７４ａの戸先側までの長さは、スライダー３４が保持された状態でスライダー３４の戸先側端の近傍に合わせられる。これは、スライダー３４が戸先側に移動を始めると、直ぐにマグネット３４ａの吸着力を弱める方が、スライダー３４がスムーズに移動可能であるからである。
【００４４】
このように、滑動部３７４ｂは、エアギャップを設けるだけでなく、滑動するスライダー３４をレール取付部２２の上面部の下面側（吸着部２２ａ）に吸着させることなく、保持部３７４ａに誘導させる機能もある。
また、ガイド枠３７の脱落防止部３７３により、スライダー３４が滑動中であっても、スライダー３４が脱落防止部３７３に引っかかりガイド枠３７から脱落することがない。
【００４５】
尚、スライダー３４の上面に対して、マグネット３４ａの上面は、若干下げられてマグネット３４ａ取り付けられて、スライダー３４の保持状態において若干のエアギャップが生じているが、このエアギャップ分の吸着力の低下分も考慮して、マグネット３４ａの磁力が設定されているのは言うまでもない。
【００４６】
非常時閉鎖装置３００は上記の如く構成され、通常使用状態（図６に示す状態）、すなわち、引き戸扉６の開放姿勢が維持された状態で、制御部材９４は、巻きバネ９４６の付勢力による時計廻りの方向の回動力でソレノイド９５のプランジャ９５１を、プランジャ受け用凹部９４５および９５２を介して、引き上げた状態に維持している。一方、回転規制歯車９１と自閉用歯車３２に噛合った自閉制御歯車９２を保持する作動板９３の戸尻側端部のストッパー部９３６の下端面が、前記制御部材９４のストッパー受け部９４３に当接しているので、作動板９３は回動せず、自閉制御歯車９２を所定の位置に保持する。
【００４７】
この時の引き戸扉６の開放に合わせて、係合部材７００の先端部によって、スライダー３４が、引き戸扉６の開放側に係合部材７００の先端部で押され、かつ、ワイヤー３０を巻き取り部材３３から引き出しながら移動する。
そして、引き戸扉６が全開した位置で、スライダー３４がガイド材３７の保持部３７４ａに吸着する。
【００４８】
この時、巻き取り部材３３の自閉用歯車３２は、常にワイヤー３０を巻き取る方向に付勢するゼンマイバネ（図示せず。）によって、常に時計廻りの方向に回転するよう付勢されているので、自閉用歯車３２と噛合った自閉制御歯車９２は反時計廻りの方向に回転力が付与されているが、自閉用制御歯車９２２と噛合った回転規制歯車９１は、時計廻りの方向には回転しない（反時計廻りの方向にのみ回転可能）から、自閉制御歯車９２も自閉用歯車３２も回転せず、ワイヤーを巻き込むことは出来ない。
しかしながら、回転規制歯車９１は、反時計廻りの方向には回転可能であるから、自閉用制御歯車９２２を介して、自閉用歯車３２を反時計廻りの方向に回転させる事は可能となっている。すなわち、ワイヤー３０はスライダー３４と共に巻き取り部材３３から常に引き出し可能な状態となっており、スライダー３４はガイド枠３７の戸尻側端部に保持させておくことが出来る。
【００４９】
したがって、スライダー３４は、ガイド材３７の保持部３７４ａに吸着しなくとも、大きく移動することはない。しかしながら、スライダー３４を保持部３７４ａで吸着保持しておかないと、引き戸扉６の開閉に伴う振動などで、スライダー３４が動くことがある。その場合、スライダー３４が戸先側に動くと、ワイヤー３０が弛み、非常時にワイヤー３０が上手く巻き取られない恐れがある。
その為、スライダー３４が保持部３７４ａにある時は、ワイヤー３０が引っ張られた状態であることが望ましく、その為に、スライダー３４は保持部３７４ａで確実に保持されている必要があるので、スライダー３４は、保持部３７４ａに吸着される必要がある。
【００５０】
そして、引き戸扉６が開放状態で、煙感知機能が作動すると、その信号がソレノイド９５につたえられ、プランジャ９５１が電磁石の作用により引き込まれると、プランジャピン９５２によって、制御部材９４は巻きバネ９４６の付勢に抗して、図６で反時計回りの方向に回動し、作動板９３のストッパー部９３６の下端面を支持していたストッパー受け部９４３が回動しながら前方に移動する。
すると、巻き取り部材３３の自閉用歯車３２は、常にワイヤー３０を巻き取る方向に付勢するゼンマイバネ（図示せず。）によって、常に時計廻りの方向に回転するよう付勢されているので、自閉用歯車３２と噛合った自閉制御歯車９２は自閉用歯車３２の回転力によって上方に押しやられ回転規制歯車９１との噛合いが外れ、自閉制御歯車９２は回転自在となるので、巻き取り部材３３のゼンマイバネによって、ワイヤー３０は巻き取り部材３３に巻きとられ、スライダー３４は、保持状態からガイド枠３７内を戸先側に移動し、吊り金具７０の戸先側端部に取り付けられ上方に突出する係合部材７００の戸尻側端面に当接し、係合部材７００を押しながら滑動状態に移行し、引き戸扉６を閉鎖方向に移動させながら戸先側に移動し、引き戸扉６の戸先側端面が戸先側縦枠１４の出入口側面に当接したところで、引き戸扉６は閉鎖状態となる。（図８に示す状態。）
【００５１】
リセット部材９６は、ストッパー突起９３３が、作動板９３の戸先側作動部９３２の戸先側面に接触し、所定の状態を維持している。（図９に示す状態。）
この状態で、室内から人が脱出する時は手動で引き戸扉６を開放すると、係合部材７００によってスライダー３４はワイヤー３０を巻き取り部材３３から引出しながら戸尻側に移動し、開放動作が終了すると、自閉制御歯車９２は回転規制歯車９１と噛合っていないから、巻き取り部材３３によって、ワイヤー３０は巻き取られ、スライダー３４と係合部材７００によって引き戸は閉鎖する。すなわち、引き戸扉６は開放のみ手動で、閉鎖は自動の半自動引き戸として機能する。
【００５２】
次に、通常状態に復帰させる場合は、リセット用ワイヤー９６４を戸先側に引っ張ると、ローラー９６１が作動板９３の戸先側作動部９３２の巻き取り部材３３側の面に接触し、さらに引き続けるとローラー９６１によって、戸先側作動部９３２が下方に下がり、作動板９３は戸尻側端部が上方に移動するよう回動し、ストッパー部９３６は上方に移動する。すると、ストッパー部９３６の戸先側面にストッパー受け部９４３が当接することで、時計廻りへの回動が阻止されていた制御部材９４がプランジャ９５１を引き上げながら回動し、ストッパー受け部９４３がストッパー部９３６の下面に位置し、作動板９３が時計廻りに回動するのを阻止すると共に、作動板９３に取り付けた自閉制御歯車９２が、自閉用歯車３２および回転規制歯車９１と噛合った状態を維持する。
【００５３】
そして、リセット用ワイヤー９６４を離すとリセット部材９６は自重によって時計回りにやや回動し初期状態に戻る。（図１０の２点鎖線に示す状態。）
次に、閉鎖された引き戸扉６を開放させると、自閉制御歯車９２は回転規制歯車９１と噛合っているが、回転規制歯車９１は反時計廻りには回転可能であるから、係合部材７００によってスライダー３４はワイヤー３０を巻き取り部材３３から引出しながら戸尻側に移動し、開放動作が終了すると、回転規制歯車９１は時計廻りには回転しないので、自閉制御歯車９２、自閉用歯車３２はワイヤー３０の巻き取り方向には回転せず、スライダー３４は所定の位置に保持される。（図６に示す状態）
【００５４】
図１３は、吸着部を有する他の実施例を示すものである。スライダー３４のマグネット３４ａは、スライダー３４の後面に取り付けられている。
そして、吸着部２２ａはレール取付部２２の垂直面で設定され、滑動部３７４ｂ（滑動面３７４）も水平部３７１の後端から鉛直方向に突出した形状となる。そして、滑動部３７４ｂの引き込み部側に滑動部３７４ｂに連接して、滑動部３７４ｂ上端から上方に膨出するように保持部３７４ａが設けられる。
【００５５】
図１４は、吸着部を有しない場合の実施例を示すものである。スライダー３４のマグネット３４ａは、スライダー３４の前面に取り付けられ、吸着部２２ａは設定されない。そして、ガイド材３７の脱落防止部３７３の高さが、マグネット３４ａの下端より低い位置までとされているため、スライダー３４は、マグネット３４ａの磁力が直接作用せずにガイド部３７ａ内を滑動する。
尚、脱落防止部３７３の引き込み部側に、脱落防止部３７３の上端から上方に膨出するように保持部３７４ａが設けられる。保持部３７４ａは、マグネット３４ａが直接作用するようにマグネット３４ａの前方に設けられる。
【００５６】
このような引き戸の非常時閉鎖装置は、電気を利用した自動開閉式の引き戸だけではなく、手動で開閉を行う引き戸にも使用でき、引き戸に対して幅広く利用することが可能である。また、このような非常時閉鎖装置は、扉の開閉時に摺動移動ものに対して有効であるから、引き戸だけではなく、折れ戸の摺動移動部分と組み合わせると、折れ戸の非常時閉鎖装置としても利用することができる。
【符号の説明】
【００５７】
１        吊り戸枠
１３      戸尻側縦枠
１４      戸先側縦枠
１５      上横枠
１００    化粧ボード
２        支持部材
２２ａ    吸着部
２００    非常時閉鎖装置
３        自閉機構
３０      ワイヤー
３００    ぜんまいバネ装置
３４      スライダー
３４ａ    マグネット
３７      ガイド材
３７ａ    ガイド部
３７４    滑動面
３７４ａ  滑動部
３７４ｂ  保持部
【図１】
2018013003.tif 000003
【図２】
2018013003.tif 000004
【図３】
2018013003.tif 000005
【図４】
2018013003.tif 000006
【図５】
2018013003.tif 000007
【図６】
2018013003.tif 000008
【図７】
2018013003.tif 000009
【図８】
2018013003.tif 000010
【図９】
2018013003.tif 000011
【図１０】
2018013003.tif 000012
【図１１】
2018013003.tif 000013
【図１２】
2018013003.tif 000014
【図１３】
2018013003.tif 000015
【図１４】
2018013003.tif 000016